(57)【特許請求の範囲】
【請求項１】
コネクタ本体と該コネクタ本体を固定するコネクタ固定用の台とコネクタのモジュラジャック部とかとう性を有するシャッタ部と該シャッタ部を保持するシャッタ保持部とを具備して成るコネクタであって、前記シャッタ保持部は、開口部と、前記シャッタ部の開閉動作を導く複数のガイドとが設けられて成り、前記シャッタ部は、前記開口部の一端から前記シャッタ保持部の前記ガイドに挿入されると共に開閉方向と略垂直な方向に移動可能なように構成して成ることを特徴とするコネクタ。
【請求項２】
シャッタ部は、凹部と凸部を組み合わせてヒダ状に構成して成ることを特徴とする請求項１記載のコネクタ。
【請求項３】
シャッタ部は、バネにより開閉状態を保持するように構成して成ることを特徴とする請求項１又は２記載のコネクタ。
【請求項４】
シャッタ部は、プラスチック系材料あるいはゴム系材料で構成して成ることを特徴とする請求項１乃至３記載のコネクタ。
【請求項５】
シャッタ部は、色が施されていることを特徴とする請求項１乃至４記載のコネクタ。
【請求項６】
プラスチック系材料は、ナイロン、ポリプロピレン、テフロン、塩化ビニール、ポリエチレンの何れかであることを特徴とする請求項４記載のコネクタ。
【請求項７】
シャッタ保持部は、前記コネクタ固定用台と嵌合して１つの箱になるように構成されているか、あるいは前記コネクタ本体と一体化されていることを特徴とする請求項１記載のコネクタ。
【請求項８】
シャッタ保持部には、凹部が設けられており、前記シャッタが前記シャッタ保持部の凹部のところまで開くことを特徴とする請求項１記載のコネクタ。
【発明の詳細な説明】
【０００１】
【発明の属する技術分野】
本発明は、ＪＩＳ Ｘ５１５０規格やＩＳＯ／ＩＥＣ１１８０１規格やＡＮＳＩ／ＴＩＡ／ＥＩＡ−５６８−Ａ規格等で規定される情報配線システム、または電力用配線システムで使用されるコネクタに関するものである。
【０００２】
【従来の技術】
コネクタは、コネクタ本体とコネクタのモジュラジャック部とコネクタ固定用の台とシャッタ部とシャッタ保持部とを具備して構成されている。コネクタ固定用の台の上には、コネクタ本体とコネクタのモジュラジャック部が配置・固定されている。特に、コネクタ本体の前部にコネクタのモジュラジャック部が配置・固定され、このモジュラジャック部にモジュラプラグが接続される。
【０００３】
シャッタ部はシャッタ保持部に具備され、シャッタ保持部はコネクタ固定用の台に嵌め込んで１つの箱を形成するように構成されている。モジュラプラグをコネクタのモジュラジャック部に接続しない時には、シャッタ部が閉じて埃やゴミ等がコネクタ本体に入らないようになっている。
【０００４】
シャッタ部は、アウトレットと呼ばれるモジュラプラグを収納した箱や、壁コンセントと呼ばれる壁取りつけ用のコネクタに多く適用される。一般に、アウトレットはスペースの限られた床下などに設置されることがあり、サイズや形状が限定されている。また、壁コンセントも取りつけ枠のサイズが決められている。
シャッタ部には、かとう性のない板状シャッタ部や扉式シャッタ部、またはコネクタのモジュラジャック部に嵌め込むフタ式シャッタ部があり、使用する場所や環境に応じて適宜選択している。
【０００５】
【発明が解決しようとする課題】
従来のコネクタには以下に示す問題点があった。
【０００６】
かとう性のない板状シャッタ部は、シャッタ部を収納するためのスペースを開閉方向に設ける必要がある。シャッタ部を複数枚の板から構成すれば開閉方向のスペースを狭くすることはできるが、シャッタ部の構造が複雑となり、部品点数も多くなる。しかも複数枚の板が一部重なる必要があるので、コネクタのモジュラジャック部の前部にシャッタ部のためのスペースを広くとる必要がある。
【０００７】
扉式シャッタ部では、コネクタ本体側に扉が開く方式の場合、コネクタのモジュラジャック部前部のスペースを広くする必要があるので、モジュラプラグの接続が困難となる。この問題を回避するために、コネクタのモジュラジャック部とシャッタ部とを一体式とすれば良いが、この場合コネクタのモジュラジャック部の設計変更が必要であり、且つ構造が複雑で部品数も多くなる。
【０００８】
扉式シャッタ部でコネクタ本体と反対側に開く方式の場合、モジュラプラグを接続する時にシャッタ部を手前に開けなければならないので作業性が悪い。しかもシャッタ部を開けた状態では、コネクタのモジュラジャック部からシャッタ部が外部に突き出た状態になるので美観を損ねる。
【０００９】
フタ式シャッタ部は、シャッタ部がシャッタ保持部及びコネクタのモジュラジャック部と分離している場合、モジュラプラグを接続するためにシャッタ部を外した際にシャッタ部を紛失する恐れがある。また、シャッタ部が紐等でシャッタ保持部あるいはコネクタのモジュラジャック部に接続されている場合には作業性及び美観を損ねる。
【００１０】
以上要するに、従来のコネクタではシャッタ部の開閉方向にシャッタ部のための広いスペースが必要であり、構造が複雑でしかも部品点数が多くなる。場合によってはシャッタ部の収納スペースがコネクタのモジュラジャック部の前部に必要となり、このためにモジュラプラグ接続の作業性が低下する。
【００１１】
従って本発明の目的は、前記した従来技術の欠点を解消し、シャッタ部が開閉方向以外の任意の方向に移動可能で、且つモジュラプラグの接続が容易で、しかもシャッタ部の開閉方向のサイズが小さなコネクタを提供することにある。
【００１２】
【課題を解決するための手段】
本発明は上記の目的を実現するため、コネクタをコネクタ本体と該コネクタ本体を固定するコネクタ固定用の台とコネクタのモジュラジャック部とかとう性を有するシャッタ部と該シャッタ部を保持するシャッタ保持部とから構成し、前記シャッタ保持部は、開口部と、前記シャッタ部の開閉動作を導く複数のガイドとが設けられて成り、前記シャッタ部は、前記開口部の一端から前記シャッタ保持部の前記ガイドに挿入される共に開閉方向と略垂直な方向に移動可能なように構成した。
【００１３】
前記シャッタ部は凹部と凸部を組み合わせてヒダ状に構成した。
【００１４】
なお、前記シャッタ部は、バネにより開閉状態を保持するように構成しても良い。
【００１５】
そして、前記シャッタ部は、プラスチック系材料あるいはゴム系材料で構成した。
【００１６】
さらに、前記シャッタ部は色を施こしても良い。
【００１７】
前記のプラスチック系材料は、ナイロン、ポリプロピレン、テフロン、塩化ビニール、ポリエチレンの何れかとした。
【００１８】
前記のシャッタ保持部は、前記コネクタ固定用台と嵌合して１つの箱に形成、あるいは前記コネクタ本体と一体化して形成した。
【００１９】
シャッタ保持部には、凹部が設けられており、前記シャッタが前記シャッタ保持部の凹部のところまで開くように構成しても良い。
【００２０】
【発明の実施の形態】
図１は、本発明のコネクタの第一実施例を示した分解斜視図である。２はシャッタ保持部、３はコネクタ本体、４はコネクタのモジュラジャック部、５はコネクタ固定用の台、６はコネクタ固定用台の凹部、７はモジュラプラグ、８はシャッタ部である。
【００２１】
コネクタは、コネクタ本体３とコネクタのモジュラジャック部４とコネクタ固定用の台５とシャッタ部８とシャッタ保持部２とを具備して成る。コネクタ固定用の台５の上に、コネクタ本体３とコネクタのモジュラジャック部４とが配置・固定される。特に、コネクタ本体３の前部にコネクタのモジュラジャック部４が配置・固定される。このコネクタのモジュラジャック部４にモジュラプラグ７が接続される。ここで、コネクタ本体３はＵＴＰ配線用コネクタである。
【００２２】
シャッタ部８は、シャッタ保持部２に収納されており、このシャッタ保持部２をコネクタ固定用の台５に嵌め込んで、コネクタ本体３を収納する１つ箱を形成している。
【００２３】
図２は、シャッタ部８の側面図、図３はその正面図である。シャッタ部８は、機械的な強度を保ちつつ、かとう性を得るために、シャッタ部の凸部９とシャッタ部の凹部１０とから連続するひだ状に構成されている。なお、シャッタ部８の材質は製造が容易で安価であるプラスチック系材料である。例えば、ナイロン、テフロン、塩化ビニール、ポリプロピレン、ポリエチレンのうち何れかを用いることができる。更に、ゴム系の材料も入手や製造が容易であり、且つ安価で摩耗に強く、しかも可とう性に優れているので使用することができる。
【００２４】
図４は、シャッタ部８及びシャッタ保持部２の斜視図である。１１は前面側ガイド、１２は天井側ガイド、１３は曲線ガイド、１４はシャッタ保持部の凹部である。シャッタ保持部２には、シャッタ部８を保持、収納するための前面側ガイド１１と天井側ガイド１２とが設けられている。シャッタ部８をシャッタ保持部２に収納する時に、シャッタ部８が屈曲する位置の外側にガイドになる曲線ガイド１３が設けられている。この曲線ガイド１３は、シャッタ部８の曲率に合うように設計されており、これによりシャッタ部８の開閉時にはシャッタ部８がスムーズに摩擦力少なく天井側ガイド１２に沿って可動できる。シャッタ部８は、前面側ガイド１１のところで矢印の方向に挿入され、曲線ガイド１３の所で方向を変え、天井側ガイド１２を通って収納される。
【００２５】
図５は、本発明のコネクタの第一実施例に係わり、シャッタ部を閉じた時の斜視図である。図６は、その時のシャッタ保持部２の内部を示した斜視図である。図７は、その時のコネクタの断面図である。シャッタ部８は、コネクタ固定用台の凹部６のところまで閉まっており、シャッタ部８の一部分は天井側ガイド１２でガイドされている。
【００２６】
図８は、本発明のコネクタの第一実施例に係わり、シャッタ部を開いた時の斜視図である。図９は、その時のシャッタ保持部２の内部を示した斜視図である。図１０は、その時のコネクタの断面図である。シャッタ部８は、シャッタ保持部の凹部１４のところまで開いており、シャッタ部８の一部分は前面側ガイド１１でガイドされている。
【００２７】
以上要するに、シャッタ部８は閉じた状態でその殆どの部分を前面側ガイド１１に収納されており、シャッタ部８を開けていくとシャッタ部８はその開閉方向から向きを変え、曲線ガイド１３及び天井側ガイド１２に沿って移動し、完全に開いた状態でその殆どの部分を天井側ガイド１２に収納されている。従って、シャッタ部８は開閉方向へ収納されるのではなく、開閉方向と略垂直の方向へ収納されることになり、部品点数も少なく簡単な構造でコネクタ本体３を収納する箱の開閉方向の寸法を小さくすることができた。
【００２８】
なお、シャッタ保持部の凹部１４とコネクタ固定用台の凹部６とは、シャッタ部８を開閉する際に、シャッタ部８を掴み易くするために設けられている。そして、シャッタ部８には色が施されており、用途に合わせて色により識別することが可能である。
【００２９】
図１１は、本発明のコネクタの第二実施例を示した分解斜視図である。２１はシャッタ部、２２は台及びシャッタ保持部、２３はコネクタ本体、２４は前面側ガイド、２５は天井側ガイド、２６は曲線ガイドである。
【００３０】
コネクタ固定用の台とシャッタ保持部とを一体化し、台及びシャッタ保持部２２を構成している点を除けば第一実施例と同様である。このようにしても第一実施例と同じ効果や作用を得ることができる。すなわち、シャッタ部２１の開閉方向のサイズを小さくすることができる。これは、高い実装密度が求められる壁コンセント等に特に有用である。
【００３１】
なお、シャッタ部８にばね等を取りつけてコネクタを使用しない場合に、シャッタ部８を常に開いた状態または閉じた状態に保つこともできる。
【００３２】
【発明の効果】
本発明のコネクタは、コネクタ本体と該コネクタ本体を固定するコネクタ固定用の台とコネクタのモジュラジャック部とシャッタ部と該シャッタ部を保持するシャッタ保持部とを具備して成り、前記シャッタ部は開閉方向と異なる任意の方向に移動可能なように構成したことから、シャッタ部が開閉方向と略垂直の方向に移動可能で、且つモジュラプラグの接続が容易で、しかもシャッタ部の開閉方向のサイズが小さなコネクタを提供することができる。
【図面の簡単な説明】
【図１】  本発明のコネクタの第一実施例を示した分解斜視図である。
【図２】  図１のシャッタ部の側面図である。
【図３】  図１のシャッタ部の正面図である。
【図４】  図１のシャッタ部及びシャッタ保持部の斜視図である。
【図５】  本発明のコネクタの第一実施例に係わり、シャッタ部が閉じた時の斜視図である。
【図６】  本発明のコネクタの第一実施例に係わり、シャッタ部が閉じた時のシャッタ保持部の斜視図である。
【図７】  本発明のコネクタの第一実施例に係わり、シャッタ部が閉じた時の断面図である。
【図８】  本発明のコネクタの第一実施例に係わり、シャッタ部が開いた時の斜視図である。
【図９】  本発明のコネクタの第一実施例に係わり、シャッタ部が開いた時のシャッタ保持部の斜視図である。
【図１０】  本発明のコネクタの第一実施例に係わり、シャッタ部が開いた時の断面図である。
【図１１】  本発明のコネクタの第二実施例を示した分解斜視図である。
【符号の説明】
２  シャッタ保持部
３  コネクタ本体
４  コネクタのモジュラジャック部
５  コネクタ固定用の台
６  コネクタ固定用台の凹部
７  モジュラプラグ
８  シャッタ部
９  シャッタ部の凸部
１０  シャッタ部の凹部
１１  前面側ガイド
１２  天井側ガイド
１３  曲線ガイド
１４  シャッタ保持部の凹部
２１  シャッタ部
２２  台及びシャッタ保持部
２３  コネクタ本体
２４  前面側ガイド
２５  天井側ガイド
２６  曲線ガイド
【図１】
0003656474.tif 000002
【図２】
0003656474.tif 000003
【図３】
0003656474.tif 000004
【図４】
0003656474.tif 000005
【図５】
0003656474.tif 000006
【図６】
0003656474.tif 000007
【図７】
0003656474.tif 000008
【図８】
0003656474.tif 000009
【図９】
0003656474.tif 000010
【図１０】
0003656474.tif 000011
【図１１】
0003656474.tif 000012